(57)【要約】  【課題】  ラインの途中でカラー／モノクロームが変わるような原稿に対しても、画像データ量を効率良く低減できる画像読取装置を提供する。  【解決手段】  ＣＣＤ２１Ｒ，２１Ｇ，２１Ｂで取得された１ページ分の各色の画像データが、Ａ／Ｄ変換、シェーディング補正、ガンマ補正などの種々の処理が施された後に、ＲＡＭ４に格納される。１ページ分の画像データが複数の領域に区切られ、各領域についてカラーかモノクロームかが判別される。カラーと判別された領域については、各色成分の画像データがＲＡＭ４から読み出されて画像メモリ５へ出力され、モノクロームと判別された領域については、各色成分の画像データからモノクロームの画像データが生成され、生成されたモノクロームの画像データが画像メモリ５へ出力される。【選択図】      図１
2007060049.tif 000002
【特許請求の範囲】
【請求項１】
原稿を複数の色成分に分けて読み取る画像読取装置において、読み取った各色成分の画像データを格納する格納手段と、該格納手段に格納された画像データを格子状の領域に区切り、区切られた各領域についてカラーかモノクロームかを判別する判別手段と、該判別手段によりカラーと判別された領域については各色成分の画像データを前記格納手段から出力し、モノクロームと判別された領域についてはモノクロームの画像データを生成して出力する出力制御手段とを備えることを特徴とする画像読取装置。
【請求項２】
前記出力制御手段は、少なくとも１つの色成分の画像データからモノクロームの画像データを生成するようにしたことを特徴とする請求項１記載の画像読取装置。
【請求項３】
原稿をモノクロームで読み取ると共に複数の色成分に分けて読み取る画像読取装置において、読み取ったモノクロームの画像データを格納する第１格納手段と、読み取った各色成分の画像データを格納する第２格納手段と、該第２格納手段に格納された画像データを格子状の領域に区切り、区切られた各領域についてカラーかモノクロームかを判別する判別手段と、該判別手段によりカラーと判別された領域については各色成分の画像データを前記第２格納手段から出力し、モノクロームと判別された領域についてはモノクロームの画像データを前記第１格納手段から出力する出力制御手段とを備えることを特徴とする画像読取装置。
【発明の詳細な説明】
【技術分野】
【０００１】
本発明は、原稿を複数の色成分に分けて読み取るカラー複写機などの画像読取装置に関し、特に、原稿をカラー領域とモノクローム領域とに分けて画像データを出力する画像読取装置に関するものである。
【背景技術】
【０００２】
カラー複写機では、カラー読取りかモノクローム読取りかを指定するユーザ入力に従って、カラー処理またはモノクローム処理の何れかを実行している。カラーで原稿を読み取った場合には、モノクロームで読み取る場合に比べて、１ページ分の画像データの量が多くなる。原稿の中には、部分的にはカラー画像であるが、残りの部分はモノクローム画像であるという原稿も多数ある。
【０００３】
このような原稿では、全画像をカラーで読み取るのではなく、モノクローム画像の部分はモノクロームで読み取った方が、１ページ分の画像データの量が少なくなって効率が良くなる。そこで、各ライン毎にカラー画像であるかモノクローム画像であるかを判別する技術が提案されている（特許文献１参照）。
【特許文献１】特開平１１−２７５４２号公報
【発明の開示】
【発明が解決しようとする課題】
【０００４】
しかしながら、実際の原稿にあっては、１ラインの中でカラーの部分とモノクロームの部分とが混在しているものが多数ある。特許文献１の技術では、このような原稿に対しても、カラー画像のラインであるかモノクローム画像のラインであるかを一義的に判別しており、画像データ量の低減を効率良く行えないという問題がある。
【０００５】
本発明は斯かる事情に鑑みてなされたものであり、ラインの途中でカラー／モノクロームが変わるような原稿に対しても、画像データ量を効率良く低減できる画像読取装置を提供することを目的とする。
【課題を解決するための手段】
【０００６】
本発明に係る画像読取装置は、原稿を複数の色成分に分けて読み取る画像読取装置において、読み取った各色成分の画像データを格納する格納手段と、該格納手段に格納された画像データを格子状の領域に区切り、区切られた各領域についてカラーかモノクロームかを判別する判別手段と、該判別手段によりカラーと判別された領域については各色成分の画像データを前記格納手段から出力し、モノクロームと判別された領域についてはモノクロームの画像データを生成して出力する出力制御手段とを備えることを特徴とする。
【０００７】
本発明の画像読取装置にあっては、原稿を複数の色成分に分けて読み取り、読み取った複数の色成分の画像データを格子状の領域に区切り、区切った各領域についてカラーかモノクロームかを判別し、カラーと判別した領域については取得した各色成分の画像データを出力し、モノクロームと判別した領域についてはモノクロームの画像データを生成して出力する。よって、ラインの途中でカラー／モノクロームが変わるような原稿に対しても、画像データ量が必要以上に増加することを防止する。
【０００８】
本発明に係る画像読取装置は、上記構成において、前記出力制御手段が、少なくとも１つの色成分の画像データからモノクロームの画像データを生成するようにしたことを特徴とする。
【０００９】
本発明の画像読取装置にあっては、少なくとも１つの色成分の画像データを用いてモノクロームの画像データを生成する。よって、簡単にモノクロームの画像データが生成される。
【００１０】
本発明に係る画像読取装置は、原稿をモノクロームで読み取ると共に複数の色成分に分けて読み取る画像読取装置において、読み取ったモノクロームの画像データを格納する第１格納手段と、読み取った各色成分の画像データを格納する第２格納手段と、該第２格納手段に格納された画像データを格子状の領域に区切り、区切られた各領域についてカラーかモノクロームかを判別する判別手段と、該判別手段によりカラーと判別された領域については各色成分の画像データを前記第２格納手段から出力し、モノクロームと判別された領域についてはモノクロームの画像データを前記第１格納手段から出力する出力制御手段とを備えることを特徴とする。
【００１１】
本発明の画像読取装置にあっては、原稿をモノクロームで読み取ると共に複数の色成分に分けて読み取り、読み取った複数の色成分の画像データを格子状の領域に区切り、区切った各領域についてカラーかモノクロームかを判別し、カラーと判別した領域については取得した各色成分の画像データを出力し、モノクロームと判別した領域については取得したモノクロームの画像データを出力する。よって、ラインの途中でカラー／モノクロームが変わるような原稿に対しても、画像データ量が必要以上に増加することを防止する。
【発明の効果】
【００１２】
本発明では、原稿を格子状の領域に区切り、区切った各領域についてカラーかモノクロームかを判別し、カラーと判別した領域については取得した各色成分の画像データを出力し、モノクロームと判別した領域についてはモノクロームの画像データを生成して出力するようにしたので、ラインの途中でカラー／モノクロームが変わるような原稿に対しても、効率良く画像データ量の低減を図ることができる。
【００１３】
また本発明では、少なくとも１つの色成分の画像データからモノクロームの画像データを生成するようにしているので、簡単にモノクロームの画像データを生成することができる。
【００１４】
更に本発明では、原稿を格子状の領域に区切り、区切った各領域についてカラーかモノクロームかを判別し、カラーと判別した領域については取得した各色成分の画像データを出力し、モノクロームと判別した領域については取得したモノクロームの画像データを出力するようにしたので、ラインの途中でカラー／モノクロームが変わるような原稿に対しても、効率良く画像データ量の低減を図ることができる。
【発明を実施するための最良の形態】
【００１５】
以下、本発明をその実施の形態を示す図面を参照して具体的に説明する。なお、本発明は、以下の実施の形態に限定されるものではない。
【００１６】
（第１実施の形態）
図１は、本発明（請求項１，２）に係る第１実施の形態の画像読取装置の構成例を示すブロック図である。画像読取装置は、ＭＰＵ（Microprocessor Unit)１、読取部２、ＲＯＭ３、ＲＡＭ４、画像メモリ５、操作部６、外部インタフェース７などを備えている。
【００１７】
ＭＰＵ１は、バスを介して画像読取装置の上述したようなハードウェア各部と接続されていて、それらを制御すると共に、ＲＯＭ３に格納された制御プログラムに従って、種々のソフトウェア的機能を実行する。
【００１８】
読取部２は、画像の読取りによりそれぞれＲ成分，Ｇ成分，Ｂ成分のアナログカラー信号を取得するＣＣＤ２１Ｒ，２１Ｇ，２１Ｂを有するイメージセンサ２１、各色のアナログカラー信号を選択に切り替えるマルチプレクサ２２、アナログカラー信号にオフセット処理、増幅処理などの各種の処理を施すＡＦＥ（Analog Front End：アナログフロントエンド）２３、アナログカラー信号をデジタルカラー信号に変換するＡ／Ｄ変換器２４、シェーディング補正（ＣＣＤの感度不均一性に起因した光量歪みの補正）を行うシェーディング補正回路２５、ガンマ補正（ＣＣＤで読み取られた画像信号の輝度を人間の視覚特性に応じて調整するための補正）を行うガンマ補正回路２６、各色成分の画像信号のラインずれを補正するラインずれ補正メモリ２７、光源２９の点灯／消灯制御、読取り光学系の走査を駆動するモータ３０の回転制御を行う読取機構制御回路２８などを備えている。
【００１９】
ＲＯＭ３は、画像読取装置の動作に必要な種々のソフトウェアの制御プログラムを格納する。ＲＡＭ４は、ソフトウェアの実行時に発生する一時的なデータを記憶する。また、ＲＡＭ４は、読取部２による原稿の読取り処理によって得られる各色成分の画像データを一時的に格納する。画像メモリ５は、ＤＲＡＭなどで構成され、最終的な各色成分の画像データ及びモノクロームの画像データを格納する。操作部６は、ユーザの外部入力を受け付ける。外部インタフェース７は、記録装置などの外部装置へ、画像メモリ５に格納されている画像データを出力する。
【００２０】
このような構成において、ＲＡＭ４は、読み取られた各色成分の画像データを格納する格納手段として機能する。また、ＭＰＵ１は、画像データを格子状の領域に区切って、区切られた各領域についてカラーかモノクロームかを判別する判別手段として機能すると共に、カラーと判別した領域については各色成分の画像データを格納手段（ＲＡＭ４）から画像メモリ５へ出力し、モノクロームと判別した領域についてはモノクロームの画像データを生成して画像メモリ５へ出力する出力制御手段として機能する。
【００２１】
次に、動作について説明する。光源２９、イメージセンサ２１などを含む読取り光学系にて原稿が読み取られ、イメージセンサ２１で取得された１ページ分の各色の画像データ（Ｒ成分の画像データ，Ｇ成分の画像データ，Ｂ成分の画像データ）は、Ａ／Ｄ変換、シェーディング補正、ガンマ補正などの種々の処理が施された後に、ＲＡＭ４に格納される。
【００２２】
１ページ分の画像データは、複数の領域に区切られる。図２は、この複数の領域の一例を示す模式図である。図２（ａ）に示す例では、１ページ分が１２個の領域に区切られている。各領域について、各色の画像データに基づき、カラーかモノクロームかがＭＰＵ１にて判別される。具体的には、各領域について全画素の各色成分毎の階調ヒストグラムが算出され、その階調ヒストグラムにおいてＲ成分，Ｇ成分，Ｂ成分の階調数間で第１所定値以上の偏りがある領域はカラー領域（図２（ａ）の密ピッチでハッチングされた領域）と判別され、第２所定値以下の偏りしかない領域はモノクローム領域（図２（ａ）のハッチングされていない領域）と判別され、第１所定値と第２所定値との間の偏りがある領域は判別不能な領域（図２（ａ）の疎ピッチでハッチングされた領域）と判別される。
【００２３】
そして、カラーかモノクロームかの判別ができなかった領域に関しては、その領域が更に小さい領域に区切られ、区切られた小領域毎に同様の判別基準に基づいてカラー領域かモノクローム領域かが判別される。そして最終的に、図２（ｂ）に示すように、１ページ分の画像データがカラー領域とモノクローム領域とに分けられる。
【００２４】
カラーと判別された領域については、その領域における各色成分（Ｒ成分，Ｇ成分，Ｂ成分）の画像データがＲＡＭ４から読み出されて、画像メモリ５へ出力される。一方、モノクロームと判別された領域については、その領域におけるＲ成分，Ｇ成分，Ｂ成分の画像データから下記（１）の変換式に基づいてモノクロームの画像データ（輝度データＹ）が算出され、算出されたモノクロームの画像データが画像メモリ５へ出力される。
Ｙ＝０．２９９Ｒ＋０．５８７Ｇ＋０．１１４Ｂ      …（１）
【００２５】
なお、変換式（１）においてはＧ成分の係数が最も大きいので、Ｇ成分の画像データをそのままモノクロームの画像データとして使用するようにしても良い。このような場合には、変換式（１）に基づいてモノクロームの画像データを求める必要がなく、簡単にモノクロームの画像データを生成することができる。また、カラー時に比べて画像データの転送時間を１／３にすることができる。
【００２６】
このように第１実施の形態では、１ページ分の画像データを複数の領域に区切り、各領域毎にカラーかモノクロームかを判別し、カラーである領域については各色成分（Ｒ成分，Ｇ成分，Ｂ成分）の画像データを出力し、モノクロームである領域についてはモノクロームの画像データを生成して出力するので、ラインの途中でカラー／モノクロームが変化するような原稿についても、効率良く画像データ量を低減することが可能となる。
【００２７】
（第２実施の形態）
図３は、本発明（請求項３）に係る第２実施の形態の画像読取装置の構成例を示すブロック図である。図３において、図１と同一または同様な部分には同一の番号を付している。
【００２８】
読取部２のイメージセンサ２１は、Ｒ成分，Ｇ成分，Ｂ成分のアナログカラー信号を取得するＣＣＤ２１Ｒ，２１Ｇ，２１Ｂに加えて、アナログモノクローム信号を取得するＣＣＤ２１Ｍを有しており、第２実施の形態では、原稿をモノクロームで読み取ると共に複数の色成分に分けて読み取る。また、ＣＣＤ２１Ｍの出力系統には、図１と同様の機能を果たすＡＦＥ２３Ｍ、Ａ／Ｄ変換器２４Ｍ、シェーディング補正回路２５Ｍ及びガンマ補正回路２６Ｍに加えて、画像の辺縁を強調するためのエッジ強調回路３１が設けられている。
【００２９】
図３に示す構成において、ＲＡＭ４は、読み取ったモノクロームの画像データを格納する第１格納手段、及び読み取った各色成分の画像データを格納する第２格納手段として機能する。また、ＭＰＵ１は、画像データを格子状の領域に区切って、区切られた各領域についてカラーかモノクロームかを判別する判別手段として機能すると共に、カラーと判別した領域については各色成分の画像データを第２格納手段（ＲＡＭ４）から画像メモリ５へ出力し、モノクロームと判別した領域についてはモノクロームの画像データを第１格納手段（ＲＡＭ４）から画像メモリ５へ出力する出力制御手段として機能する。
【００３０】
次に、動作について説明する。光源２９、イメージセンサ２１などを含む読取り光学系にて原稿が読み取られ、イメージセンサ２１（ＣＣＤ２１Ｒ，２１Ｇ，２１Ｂ）で取得された１ページ分の各色の画像データ（Ｒ成分の画像データ，Ｇ成分の画像データ，Ｂ成分の画像データ）は、Ａ／Ｄ変換、シェーディング補正、ガンマ補正などの種々の処理が施された後に、ＲＡＭ４に格納されると共に、イメージセンサ２１（ＣＣＤ２１Ｍ）で取得された１ページ分のモノクロームの画像データは、Ａ／Ｄ変換、シェーディング補正、ガンマ補正、エッジ強調などの種々の処理が施された後に、ＲＡＭ４に格納される。
【００３１】
第１実施の形態と同様に、１ページ分の画像データは複数の領域に区切られ、各領域についてカラーかモノクロームかがＭＰＵ１にて判別される。この場合の判別手法は、第１実施の形態と同じであるので、その説明を省略する。
【００３２】
そして、カラーと判別された領域については、その領域における各色成分（Ｒ成分，Ｇ成分，Ｂ成分）の画像データがＲＡＭ４から読み出されて、画像メモリ５へ出力される。一方、モノクロームと判別された領域については、その領域におけるモノクロームの画像データがＲＡＭ４から読み出されて、画像メモリ５へ出力される。よって、モノクローム時には、カラー時に比べて画像データの転送時間を１／３にすることができる。
【００３３】
このように第２実施の形態では、１ページ分の画像データを複数の領域に区切り、各領域毎にカラーかモノクロームかを判別し、カラーである領域については各色成分（Ｒ成分，Ｇ成分，Ｂ成分）の画像データを出力し、モノクロームである領域についてはモノクロームの画像データを出力するので、ラインの途中でカラー／モノクロームが変化するような原稿についても、効率良く画像データ量を低減することが可能となる。
【００３４】
また、モノクロームの画像信号に対する処理系統を、カラーの画像信号に対する処理系統とは独立に設けているため、第１実施の形態に比べて高画質の処理が可能である。また、モノクロームの画像信号に対する処理系統に特化してエッジ強調回路３１を設けているため、辺縁部が鮮明となる画像データを得ることができる。この場合、モノクロームの画像信号に対する処理系統では、カラーの画像信号に対する処理系統に比べて、処理すべき画像データの量が１／３であるため、エッジ強調回路３１を設けても処理遅延を起こすことはない。
【図面の簡単な説明】
【００３５】
【図１】本発明（請求項１，２）に係る第１実施の形態の画像読取装置の構成例を示すブロック図である。
【図２】１ページ分の画像データを区切った複数の領域の一例を示す模式図である。
【図３】本発明（請求項３）に係る第２実施の形態の画像読取装置の構成の例を示すブロック図である。
【符号の説明】
【００３６】
１  ＭＰＵ
２  読取部
３  ＲＯＭ
４  ＲＡＭ
５  画像メモリ
２１  イメージセンサ
２１Ｒ，２１Ｇ，２１Ｂ，２１Ｍ  ＣＣＤ
【図１】
2007060049.tif 000003
【図２】
2007060049.tif 000004
【図３】
2007060049.tif 000005